(57)【特許請求の範囲】
【請求項１】
ランプに対する電源線上に接続されて前記ランプを調光点灯させる調光スイッチング回路と、前記ランプに対する出力電流を検出する出力電流検出回路と前記ランプに対する出力電圧を検出する出力電圧検出回路とこれらの検出回路の出力側に設けられたＡ／Ｄ変換器とこれらのＡ／Ｄ変換器から得られる出力電流値と出力電圧値とに基づきランプ容量を算出する演算制御手段とを有するランプ容量検出回路とを備えた調光器を各ランプ毎に設け、これらの調光器と一対の伝送線で接続されて各調光器との間で種々の情報を送受し必要な情報を表示するモニタ装置を設けた調光照明制御システムにおいて、前記各調光器のランプ容量検出回路内にその調光器の最大出力電流時に前記Ａ／Ｄ変換器を介して前記演算制御手段に入力される出力電流値が最大となるように前記出力電流検出回路から前記Ａ／Ｄ変換器に対する出力電流を調整する調整要素を設けたことを特徴とする調光照明制御システム。
【請求項２】
演算制御手段をＡ／Ｄ変換器から得られる出力電流値と出力電圧値とに基づきランプ容量を算出するとともにその調光器の最大出力電流時の規格ランプ容量に対する比率を求めてモニタ装置に伝送する演算制御手段とし、モニタ装置を予め保持した各調光器毎の規格ランプ容量と伝送された比率情報とに基づきランプ容量を算出して表示するモニタ装置としたことを特徴とする請求項１記載の調光照明制御システム。
【発明の詳細な説明】
【０００１】
【産業上の利用分野】
本発明は、例えば、スタジオ、劇場、舞台等の照明に適した調光照明制御システムに関する。
【０００２】
【従来の技術】
一般に、この種の舞台照明等においては演出効果を高める等の目的から、調光照明は欠かせない上に、多数の白熱灯等のランプを適宜分散配置させる必要がある。ここに、複数のランプを調光制御するシステムを構築する上で、例えば、図５に示すように＃１，＃２，〜，＃ｎなるｎ個のランプ１に関して、各ランプ１毎に調光器２を個別に設けて分散配置し、一対の伝送線３で１つのモニタ装置４に接続して調光制御、異常検知等を含めて集中的かつ総合的に管理するようにしたものがある。５は各ランプ１に電力を供給するための電源線である。この場合、各調光器の持つ能力によって接続可能なランプ容量が異なるものであり、モニタ装置４では多数のランプ及びその点灯状況等を管理する上で、個々のランプ容量、特に実負荷状態を把握し得ることが要望される。
【０００３】
そこで、各調光器２は図６に示すようにランプ容量検出等のインテリジェント機能を持つように構成されている。まず、ランプ１に対する電源線５上には例えば一対のサイリスタ６，７を逆並列接続してなる調光スイッチング回路８が設けられている。これにより、毎半サイクルでゼロクロス検出後にモニタ装置４側からの調光信号レベルに応じたタイミングでこれらのサイリスタ６，７を点弧させる位相制御を行うことにより、ランプ１が調光点灯されることになる。ここに、サイリスタ６，７に代えて、双方向性サイリスタ（トライアック）、トランジスタ、ＦＥＴ（電界効果型トランジスタ）、ＩＧＢＴ（ゲート絶縁型バイポーラトランジスタ）等のスイッチ素子も用い得るものである。よって、調光スイッチング回路８を形成するスイッチ素子の過電流耐量等により、個々の調光器２毎に接続可能な規格ランプ容量が１２ｋＷ用、６ｋＷ用、３ｋＷ用のように異なるものとなる。
【０００４】
また、各調光器２はインテリジェント機能を発揮するためのＣＰＵ９を主体としたランプ容量検出回路１０を備えた構成とされている。このランプ容量検出回路１０は、ランプ１に対する出力電流を検出する出力電流検出回路１１と、ランプ１に対する出力電圧を検出する出力電圧検出回路１２と、これらの検出回路１１，１２の出力側に設けられたＡ／Ｄ変換器１３，１４と、これらのＡ／Ｄ変換器１３，１４から得られる出力電流値と出力電圧値とに基づきランプ容量を算出する前記ＣＰＵ９とにより構成されている。
【０００５】
このような構成により、調光器２からランプ１に対する出力電流値Ｉ及び出力電圧値Ｖを各々Ａ／Ｄ変換してＣＰＵ９に取込み、ランプ１のフィラメント抵抗Ｒを算出し、ランプ容量ＷをＷ＝Ｖ2／Ｒ により求め、求められたランプ容量Ｗを伝送線３を介してモニタ装置４に伝送し（図７（ａ）に示すフローチャート参照）、モニタ装置４では受信したランプ容量Ｗをそのまま表示する（図７（ｂ）に示すフローチャート参照）ようにしている。
【０００６】
【発明が解決しようとする課題】
ところが、このような従来のシステム構成では、最大なる規格ランプ容量の最大出力電流時にＣＰＵ９に入力される出力電流値（デジタル値）が最大となるように設定しなければならず、最大なる規格ランプ容量を持たない調光器２ではＡ／Ｄ変換器１３のダイナミックレンジが狭くなるため、ランプ容量の検出精度が劣化するものとなる。例えば、＃１が１２ｋＷ、＃２が６ｋＷ、＃ｎが３ｋＷのような規格ランプ容量を持つシステム構成を想定した場合、最大なる規格ランプ容量１２ｋＷの最大出力電流１２０Ａ時にＡ／Ｄ変換器１３から最大出力電流値相当の５Ｖといった電圧値が得られるように、各調光器２中のＡ／Ｄ変換器１３のダイナミックレンジを設定しなければならない。よって、６ｋＷなる規格ランプ容量の調光器２では最大出力電流６０Ａ時でもそのＡ／Ｄ変換器１３からは半分の２．５Ｖなる電圧値しか得られず、ダイナミックレンジが半減し、３ｋＷなる規格ランプ容量の調光器２では最大出力電流３０Ａ時でもそのＡ／Ｄ変換器１３からは１／４の１．２５Ｖなる電圧値しか得られず、ダイナミックレンジが激減することになり、このようにダイナミックレンジが狭められた条件下で調光状態でのランプ容量検出動作（実負荷検出動作）が行われるため、結果として、上記のようにランプ容量の検出精度が劣化するものとなる。よって、モニタ装置４が認識し得る各ランプ１のランプ容量はその検出精度があまりよくなく、信頼性に欠けるものとなってしまう。
【０００７】
【課題を解決するための手段】
請求項１記載の調光照明制御システムは、ランプに対する電源線上に接続されて前記ランプを調光点灯させる調光スイッチング回路と、前記ランプに対する出力電流を検出する出力電流検出回路と前記ランプに対する出力電圧を検出する出力電圧検出回路とこれらの検出回路の出力側に設けられたＡ／Ｄ変換器とこれらのＡ／Ｄ変換器から得られる出力電流値と出力電圧値とに基づきランプ容量を算出する演算制御手段とを有するランプ容量検出回路とを備えた調光器を各ランプ毎に設け、これらの調光器と一対の伝送線で接続されて各調光器との間で種々の情報を送受し必要な情報を表示するモニタ装置を設けた調光照明制御システムにおいて、前記各調光器のランプ容量検出回路内にその調光器の最大出力電流時に前記Ａ／Ｄ変換器を介して前記演算制御手段に入力される出力電流値が最大となるように前記出力電流検出回路から前記Ａ／Ｄ変換器に対する出力電流を調整する調整要素を設けたものである。
【０００８】
請求項２記載の調光照明制御システムは、請求項１記載の調光照明制御システムにおいて、演算制御手段をＡ／Ｄ変換器から得られる出力電流値と出力電圧値とに基づきランプ容量を算出するとともにその調光器の最大出力電流時の規格ランプ容量に対する比率を求めてモニタ装置に伝送する演算制御手段とし、モニタ装置を予め保持した各調光器毎の規格ランプ容量と伝送された比率情報とに基づきランプ容量を算出して表示するモニタ装置としたものである。
【０００９】
【作用】
請求項１記載の調光照明制御システムにおいては、各調光器のランプ容量検出回路が調整要素を有し、この調整要素による簡単な調整で、その調光器の最大出力電流時にＡ／Ｄ変換器を介して演算制御手段に入力される出力電流値が最大となるように出力電流検出回路の出力電流を調整し得るので、各調光器内のＡ／Ｄ変換器のダイナミックレンジを個々に最大限に広げることができ、調光器毎に規格ランプ容量が異なっても精度のよいランプ容量の検出が可能となる。
【００１０】
請求項２記載の調光照明制御システムにおいては、請求項１記載の調光照明制御システムを実現する上で、演算制御手段ではＡ／Ｄ変換器から得られた出力電流値、出力電圧値に基づきランプ容量を算出した後、その調光器の最大出力電流時の規格ランプ容量に対する比率を求めてモニタ装置に伝送する一方、モニタ装置では、予め保持した各調光器毎の規格ランプ容量情報と伝送されてきた比率情報に基づきランプ容量を算出して表示するので、各調光器のＡ／Ｄ変換器毎にダイナミックレンジが異なっても比率情報により実負荷情報として伝送することにより、簡単にして支障なくランプ容量をモニタ表示し得るシステムを構築できるものとなる。
【００１１】
【実施例】
本発明の一実施例を図１ないし図４に基づいて説明する。図５ないし図７で示した部分と同一部分は同一符号を用いて示す。まず、本実施例の調光照明制御システムは、図２に示すように、例えば、＃１，＃２，〜，＃ｎなるｎ個の白熱灯のランプ１に関して、各ランプ１毎に調光器１５を個別に設けて適宜分散配置し、一対の伝送線３で１つのモニタ装置１６に接続して、調光制御、異常検知等を含めて集中的かつ総合的に管理するように構成されている。なお、本実施例の電源線５は例えばＡＣ１００Ｖの商用交流電源に接続されたものである。
【００１２】
ここに、各調光器１５は図６に示した場合と同様に一対のサイリスタ６，７等のスイッチ素子による調光スイッチング回路８を有する他、インテリジェント機能を発揮するためのランプ容量検出回路１７を備えた構成とされている。もっとも、調光スイッチング回路８としては、前述したように、逆並列接続させたサイリスタ６，７に代えて、１つの双方向性サイリスタにより構成するようにしてもよく、さらには、これらより過電流耐量が低いトランジスタ、ＦＥＴ、ＩＧＢＴ等のスイッチ素子も用い得るものである。
【００１３】
ここに、このランプ容量検出回路１７はランプ容量検出回路１０に類似したものであり、演算制御手段として機能するＣＰＵ１８の他、出力電流検出回路１１、出力電圧検出回路１２及びＡ／Ｄ変換器１３，１４を含む構成とされているが、これに加えて、出力電流検出回路１１とＡ／Ｄ変換器１３との間には調整要素１９が付加されている。なお、Ａ／Ｄ変換器１３，１４はＣＰＵ１８に内蔵型のものであってもよい。
【００１４】
前記出力電流検出回路１１は例えば図３に示すようにランプ１に対する電源線５上を流れる電流を検出巻線１１ａにより取り出し、全波整流回路１１ｂで整流する構成とされている。また、調整要素１９は例えば全波整流回路１１ｂの出力端子間に接続された可変抵抗ＶＲにより構成されており、Ａ／Ｄ変換器１３はこの可変抵抗ＶＲに得られる電圧を入力とするように接続されている。この可変抵抗ＶＲは最大出力電流時（規格ランプ容量時＝全光時）にＡ／Ｄ変換器１３を介してＣＰＵ１８に入力される出力電流値が最大となるように出力電流検出回路１１の出力電流の値を調整するためのものである。よって、前述したように調光スイッチング回路８を形成するスイッチ素子の過電流耐量等の違いにより、個々の調光器１５毎に接続可能な規格ランプ容量が１２ｋＷ用、６ｋＷ用、３ｋＷ用のように異なるが、各調光器１５毎に可変抵抗ＶＲを適宜調整することにより、何れの調光器１５のＡ／Ｄ変換器１３にあってもそのダイナミックレンジが最大限に広げられるため、その調光器１５の最大出力電流時には規格ランプ容量の違いに関係なく、Ａ／Ｄ変換器１３からＣＰＵ１８へは同じ値なる最大出力電流値が与えられることになる。
【００１５】
例えば、＃１が１２ｋＷ、＃２が６ｋＷ、＃ｎが３ｋＷのような規格ランプ容量を持つシステム構成を想定した場合、規格ランプ容量１２ｋＷの＃１の調光器１５では、最大出力電流１２０Ａ時にＡ／Ｄ変換器１３から最大出力電流値相当の５Ｖといった電圧値が得られるように可変抵抗ＶＲが調整され、６ｋＷなる規格ランプ容量の＃２の調光器１５では、最大出力電流６０Ａ時にＡ／Ｄ変換器１３から最大出力電流値相当の５Ｖといった電圧値が得られるように可変抵抗ＶＲが調整され、３ｋＷなる規格ランプ容量の＃ｎの調光器１５では、最大出力電流３０Ａ時にＡ／Ｄ変換器１３から最大出力電流値相当の５Ｖといった電圧値が得られるように可変抵抗ＶＲが調整される。このようにダイナミックレンジが最大限に広げられた条件下で調光状態でのランプ容量検出動作が行われるため、結果として、ランプ容量の検出精度が向上するものとなる。
【００１６】
ここに、本実施例にあっては、システム構築時に、モニタ装置１６では予め各調光器１５毎の規格ランプ容量を記憶手段等に保持している。例えば、＃１；１２ｋＷ，＃２；６ｋＷ，〜，＃ｎ；３ｋＷといった情報を格納している。一方、各調光器１５内におけるＣＰＵ１８はその調光器１５に対する規格ランプ容量を認識しておらず、Ａ／Ｄ変換器１３，１４から得られる出力電流値と出力電圧値とに基づきランプ容量を算出するが、個々の調光器１５毎にＡ／Ｄ変換器１３のダイナミックレンジが異なるため、本実施例のＣＰＵ１８は算出されたランプ容量から最大出力電流時の規格ランプ容量に対する比率を算出し、この比率情報を伝送線３を介してモニタ装置１６に伝送するように機能する。即ち、実負荷状態が比率情報なる形でモニタ装置１６に伝送されることになる。従って、同じ値の比率情報であっても、その規格ランプ容量によって、実際のランプ容量は異なるものとなる。モニタ装置１６側では予め各調光器１５毎の規格ランプ容量を把握しているので、伝送された比率情報に基づきランプ容量を算出し、得られたランプ容量を適宜表示するものとなる。
【００１７】
このような構成により、従来と同様に、調光器１５からランプ１に対する出力電流値Ｉ及び出力電圧値Ｖを各々Ａ／Ｄ変換してＣＰＵ１８に取込み、ランプ１のフィラメント抵抗Ｒを算出するが、この後、本実施例のＣＰＵ１８では、その調光器１５における最大出力電流時（Ａ／Ｄ変換器１３の出力が最大となる時＝全光時）の規格ランプ容量に対する比率を算出し、この比率情報を実負荷情報として伝送線３を介してモニタ装置１６にパルス信号等の形態で伝送する（図４（ａ）に示すフローチャート参照）。この際、比率情報は、正常条件下であれば、当然、１以下の値となるが、仮に比率が１より大きくなってしまった場合には、過電流等の原因が考えられるので、図示しない過電流防止手段等により保護動作がなされる。モニタ装置１６では受信した比率情報と予め記憶しているその調光器１５の規格ランプ容量とに基づきランプ容量を算出し、得られたランプ容量をモニタ表示する（図４（ｂ）に示すフローチャート参照）。
【００１８】
【発明の効果】
請求項１記載の発明の調光照明制御システムによれば、ランプに対する電源線上に接続されて前記ランプを調光点灯させる調光スイッチング回路と、前記ランプに対する出力電流を検出する出力電流検出回路と前記ランプに対する出力電圧を検出する出力電圧検出回路とこれらの検出回路の出力側に設けられたＡ／Ｄ変換器とこれらのＡ／Ｄ変換器から得られる出力電流値と出力電圧値とに基づきランプ容量を算出する演算制御手段とを有するランプ容量検出回路とを備えた調光器を各ランプ毎に設け、これらの調光器と一対の伝送線で接続されて各調光器との間で種々の情報を送受し必要な情報を表示するモニタ装置を設けた調光照明制御システムにおいて、前記各調光器のランプ容量検出回路内にその調光器の最大出力電流時に前記Ａ／Ｄ変換器を介して前記演算制御手段に入力される出力電流値が最大となるように前記出力電流検出回路から前記Ａ／Ｄ変換器に対する出力電流を調整する調整要素を設けたので、この調整要素による簡単な調整で、その調光器の最大出力電流時にＡ／Ｄ変換器を介して演算制御手段に入力される出力電流値が最大となるように出力電流検出回路の出力電流を調整し得るので、各調光器内のＡ／Ｄ変換器のダイナミックレンジを個々に最大限に広げることができ、調光器毎に規格ランプ容量が異なっても精度のよいランプ容量の検出を行うことができる。
【００１９】
請求項２記載の発明の調光照明制御システムによれば、請求項１記載の発明の調光照明制御システムにおいて、演算制御手段をＡ／Ｄ変換器から得られる出力電流値と出力電圧値とに基づきランプ容量を算出するとともにその調光器の最大出力電流時の規格ランプ容量に対する比率を求めてモニタ装置に伝送する演算制御手段とし、モニタ装置を予め保持した各調光器毎の規格ランプ容量と伝送された比率情報とに基づきランプ容量を算出して表示するモニタ装置としたので、各調光器のＡ／Ｄ変換器毎にダイナミックレンジが異なっても比率情報により実負荷情報として伝送することにより、簡単にして支障なくランプ容量をモニタ表示し得るシステムを構築でき、特に、モニタ装置において実負荷状態を把握し得るものとなる。
【図面の簡単な説明】
【図１】本発明の一実施例を示す１つの調光器を主体とした回路構成図である。
【図２】システム構成を示す結線図である。
【図３】調整要素を主体として示す一部の回路図である。
【図４】調光器及びモニタ装置における処理を示すフローチャートである。
【図５】従来のシステム構成を示す結線図である。
【図６】その１つの調光器を主体として示す回路構成図である。
【図７】調光器及びモニタ装置における処理を示すフローチャートである。
【符号の説明】
１        ランプ
３        伝送線
５        電源線
８        調光スイッチング回路
１１        出力電流検出回路
１２        出力電圧検出回路
１３，１４  Ａ／Ｄ変換器
１５        調光器
１６        モニタ装置
１７        ランプ容量検出回路
１８        演算制御手段
【図１】
0003666026.tif 000002
【図２】
0003666026.tif 000003
【図３】
0003666026.tif 000004
【図４】
0003666026.tif 000005
【図５】
0003666026.tif 000006
【図６】
0003666026.tif 000007
【図７】
0003666026.tif 000008